(57)【特許請求の範囲】
【請求項１】
宝石が上下２段に配置され、これを一体化して用いられた装飾品において、
上段に配置された宝石は、底面が平面状にカッティングされパビリオンを有さない構成であり、
下段に配置された宝石には、ブリリアントカットが施され、
前記上段の宝石における平面状の底面と、前記下段の宝石におけるテーブルとが接合されており、
前記上段の宝石における底面の端部が、前記上段の宝石における平面状の底面に沿った直線と、前記下段の宝石におけるパビリオンの側面の延長線との交点から、該下段の宝石におけるテーブルサイズの２０％の範囲に位置する構成であり、
前記上段の宝石と前記下段の宝石とが、少なくとも石座と爪からなる基材によって固定されており、前記下段の宝石が、前記石座によって係止又は抱持されると共に、前記上段の宝石が、前記石座に設置された爪によって係止され、該上段と下段の宝石が該石座と該爪によって挟持された構成であり、
前記下段の宝石の下部は、前記石座によって覆われず露出された構成であって、かつ、
前記上段の宝石を通して観察した際に、前記下段の宝石によるブリリアントカットが放つ輝きを失うことなく視認することができる構成であることを特徴とする宝石を用いた装飾品。
【請求項２】
上段の宝石における底面の端部が、該上段の宝石における平面状の底面に沿った直線と、下段の宝石におけるパビリオンの側面の延長線との交点から、該下段の宝石におけるテーブルサイズの１０％の範囲に位置することを特徴とする請求項１に記載の宝石を用いた装飾品。
【請求項３】
上段の宝石における底面の端部が、該上段の宝石における平面状の底面に沿った直線と、下段の宝石におけるパビリオンの側面の延長線との交点に位置することを特徴とする請求項１に記載の宝石を用いた装飾品。
【発明の詳細な説明】
【技術分野】
【０００１】
本発明は、宝石を用いた装飾品に関し、詳しくは、２つの宝石を用いながら、１つの大きな宝石として観賞することができ、これにより、原材料費を抑制することができる宝石を用いた装飾品に関する。
【背景技術】
【０００２】
従来から、２つの宝石を上下に配置した装身具が知られている。
特許文献１に記載の技術は、上段にブリリアントカットが施された宝石が配置され、下段に有色の宝石が配置され、上段のパビリオンの先端部分（キューレット）が、下段の宝石の上面に設けられた凹部に嵌め込まれた構成の宝石に関するものである。
この技術によれば、グレードの低い無色の宝石と有色の宝石とを組み合わせることで、一般的には高価であるカラーストーンの如き外観を安価な材料で得ることができ、更に、小さな宝石の組み合わせることで、あたかも大きな宝石のように観賞することができるという特徴がある。
しかし、この技術では、石の色彩に変化を加えることができ、外観上は大きな宝石に見せかけることはできるが、宝石の品質や価値を左右する最も重要な要素である「輝き」について考慮されておらず、十分な輝きを得ることができないという問題がある。
【０００３】
特許文献２に記載の技術は、「装飾品における石のセッティングについて、石を上下２段にセットすることで、下部にセットした石の輝きが上部にセットした石を通し、より一層輝くようにしたセッティングの方法」に関するものである。
この技術は、「石座を上下２段式にし、上部と下部の間には空間をもたせ光が入り易くすることにより、その光を取り込んだ下部の石が輝き、その輝きと上下間の空間から入る光を取り込んだ上部の石が、より一層輝きを増す」というものである。
しかし、この技術も、２石から得られる輝きについての追求が十分ではないという問題がある。
【０００４】
ダイヤモンド等の宝石は、原石のままでは輝きが生じないか、又は輝きが乏しいことから、理想的なカッティングを施さなければ、優れた輝きを得ることができない。
宝石の輝きを最大限に引き出すカッティングとして、ブリリアントカットが知られている。このブリリアントカットは、入射した光を最大限に反射させ、美しい輝きを得ることができる理想的なカッティングの代表例である。しかし、このブリリアントカットであっても、パビリオンの深さや角度の相違によって、理想的なプロポーションが得られず、入射した光が反射せずに逃げてしまい、美しい輝きを得ることができない場合もある。
このように、１石の宝石の輝きを最大限に高めることすら容易ではなく、２石の宝石を組み合わせて優れた輝きを得ることは殊更困難であり、上記特許文献１〜２に記載の技術では、十分な輝きを得ることはできないといえる。
【先行技術文献】
【特許文献】
【０００５】
【特許文献１】特開平７−２８４４０６
【特許文献２】実用新案登録第３００６６８３号
【発明の概要】
【発明が解決しようとする課題】
【０００６】
そこで、本発明の課題は、２石の宝石を上下２段に配置して一体化した装飾品について、大きな１石の宝石として観賞することができると共に、入射した光を最大限に反射させ
、美しい輝きを得ることができる装飾品を提供することにある。
【課題を解決するための手段】
【０００７】
上記本発明の課題は、下記の手段により達成される。
１．宝石が上下２段に配置され、これを一体化して用いられた装飾品において、
上段に配置された宝石は、底面が平面状にカッティングされパビリオンを有さない構成であり、
下段に配置された宝石には、ブリリアントカットが施され、
前記上段の宝石における平面状の底面と、前記下段の宝石におけるテーブルとが接合されており、
前記上段の宝石における底面の端部が、前記上段の宝石における平面状の底面に沿った直線と、前記下段の宝石におけるパビリオンの側面の延長線との交点から、該下段の宝石におけるテーブルサイズの２０％の範囲に位置する構成であり、
前記上段の宝石と前記下段の宝石とが、少なくとも石座と爪からなる基材によって固定されており、前記下段の宝石が、前記石座によって係止又は抱持されると共に、前記上段の宝石が、前記石座に設置された爪によって係止され、該上段と下段の宝石が該石座と該爪によって挟持された構成であり、
前記下段の宝石の下部は、前記石座によって覆われず露出された構成であって、かつ、
前記上段の宝石を通して観察した際に、前記下段の宝石によるブリリアントカットが放つ輝きを失うことなく視認することができる構成であることを特徴とする宝石を用いた装飾品。
【０００８】
２．上段の宝石における底面の端部が、該上段の宝石における平面状の底面に沿った直線と、下段の宝石におけるパビリオンの側面の延長線との交点から、該下段の宝石におけるテーブルサイズの１０％の範囲に位置することを特徴とする上記１に記載の宝石を用いた装飾品。
【００１０】
４．上段の宝石と下段の宝石とが、少なくとも石座と爪から構成された基材によって固定されており、
前記下段の宝石が、前記石座によって係止又は抱持されると共に、
前記上段の宝石が、前記石座に設置された爪によって係止された構成であることを特徴とする上記１〜３のいずれかに記載の宝石を用いた装飾品。
【発明の効果】
【００１１】
上記１に示す発明によれば、上段に配置された宝石のサイズを、下段に配置された宝石に応じた所定の範囲内にすることで、看者が、上段に配置された宝石を通して観察した際に、下段に配置されたブリリアントカットが放つ美しい輝きを失うことなく視認することができる。
また、２つの宝石を一体化して用いるので、個々には小さな宝石でありながら、外観上は大きな宝石と認識させることができ、美しい輝きを有する大きな宝石を用いた装飾品として観賞することができる。
更に、上段の宝石には、カッティングやカラーの評価・グレードが低く安価な宝石を用いたとしても、ブリリアントカットが施された下段の宝石と組み合わせることによって美しい輝きを放つことができるので、全体として価値を高めることができる。即ち、低コストで、価値の高い宝石の如き外観を得ることができる。
更にまた、上段の宝石と下段の宝石とを、簡易な構成によって確実に固定することができる。
【００１２】
上記２に示す発明によれば、上段に配置された宝石のサイズの範囲を、更に限定することで、より美しい輝きを有する装飾品を得ることができる。
【００１３】
上記３に示す発明によれば、上段に配置された宝石のサイズを、下段に配置された宝石との関係で最適化し、最大限の美しい輝きを有する装飾品を得ることができる。
【図面の簡単な説明】
【００１５】
【図１】本発明に係る宝石を用いた装飾品の宝石部分を示す構成図
【図２】本発明に係る宝石を用いた装飾品の宝石部分を示す分解構成図
【図３】上段の宝石における底面の端部の位置を示す説明図
【図４】本発明に係る宝石を用いた装飾品の一実施例を表す部分断面図
【発明を実施するための形態】
【００１６】
以下、添付の図面に従って本発明を詳細に説明する。
本発明に係る宝石を用いた装飾品（以下、単に「装飾品」ともいう。）１の宝石部分を示す構成図を図１に、同じく装飾品１の上下それぞれの宝石を示す分解構成図を図２に示す。
【００１７】
図１に示されるように、装飾品１は、上段の宝石２と下段の宝石３とが、上下２段に配置された構成であり、これらが一体化して用いられている。
【００１８】
本発明において、装飾品とは、指輪等のアクセサリー又はジュエリーを含む装身具の他、オブジェなどの置物や、時計等を含むものである。
【００１９】
本発明において、宝石とは、貴石及び半貴石を含み、天然又は人工の別を問わないが、透明又は半透明の透光性を有するものである。上段の宝石２と、下段の宝石３とは、同種であってもよいし、異種であってよい。また、上段の宝石２と、下段の宝石３とは、同色であってもよいし、異なる色彩であってもよい。
尚、本発明において、下段の宝石３には、ダイヤモンドに最適といわれるブリリアントカットが施されるので、少なくとも下段の宝石３には、ダイヤモンドが採用されることが好ましい。
【００２０】
上段の宝石２は、図２に示されるように、底面２１の少なくとも一部が、平面状にカッティングされている。かかるカッティングの例として、ローズカットやオーバルカットを挙げることができる。
上段の宝石２が有する底面２１は、少なくとも、後述する下段の宝石３におけるテーブル３２の面積と同じか、それ以上の面積が平面状である。図１に示されるように、この底面２１と、テーブル３２とを接合させることで、上下の宝石を一体化させるためである。
【００２１】
上段の宝石２は、安価な宝石を用いることが好ましい。安価な宝石とは、宝石の種類、カラー、カッティングその他の条件によって、その価値・グレードが低いと評価される宝石である。例えば、カラーストーンの場合、色合が薄いものは、カラーストーンとしての価値が低く、安価に手に入れることができる。
また、例えば、ダイヤモンドの場合、ブリリアントカットが施されたものは高価であるが、ローズカット等のように、加工に技術や手間を要さないカッティングのものは、比較的安価に入手することができる。更に、ローズカット等のようなパビリオンを有さないカッティングについては、ブリリアントカットと同じ直径（場面）を有していても、パビリオンの分の重量（カラット）を抑えることができるので、安価に入手することができる。
このように、上段に安価な宝石を用いても、後述するように、下段の宝石と組み合わせることによって、全体としては美しい輝きを得ることができる。従って、上段には安価な宝石を用いた方が、原材料コストを抑えることができるという有意な効果がある。
【００２２】
下段の宝石３には、図２に示されるように、ブリリアントカットが施されている。
ブリリアントカットとは、主にダイヤモンドに施されるカッティングであり、ダイヤモンドの反射・屈折率といった光学的特性を数学的に考慮し、最も美しく輝く形状として知
られている。詳述すると、上部（クラウン３１側）から進入した光が、内部で全反射して上部から放たれ、ダイヤモンドの輝きを最も際立たせるように設計されている。
【００２３】
ブリリアントカットは、図２に示されるような５８面体（キューレットを有さない場合は５７面体）である。尚、図１や図２に示される下段の宝石３の形状は、ラウンド・ブリリアントカットの形状を簡略化したものであり、正確な形状を表すものではない。尚また、ブリリアントカットという用語は、ラウンド・ブリリアントカットやオーバル・ブリリアントカット等のように、細分化して用いられることもあるが、本発明に用いられるブリリアントカットに限定はなく、公知公用のブリリアントカットを特別の制限なく採用することができる。
【００２４】
図２に示されるように、ブリリアントカットが施された下段の宝石３は、クラウン３１、テーブル３２、ガードル３３及びパビリオン３４を有し、図１に示されるように、このテーブル３２と、上段の宝石２における底面２１とが接合され、上下の宝石が一体化される構成である。
【００２５】
理想的なプロポーションのブリリアントカットは、アイデアルカットと呼称されることもあり、米国宝石学会（ＧＩＡ）のように様々な団体が基準を設けて規定している。中でも、近年では、ハートアンドキューレットと呼ばれるもので、ガードル３３の直径を１００とした場合に、テーブルサイズ３２ａが５８、クラウン３１の高さが１４．０、パビリオン３４の深さが４３．５であって、クラウン角度が３４．０度、パビリオン角度が４１．０度のものが、最も美しい輝きを有するプロポーションとして知られている。本発明に用いられる下段の宝石３には、上記のような理想的なプロポーションのブリリアントカットが施されることが好ましい。
【００２６】
次に、上段の宝石２と下段の宝石３のサイズについて、図３を用いて説明する。
図３において、上段の宝石における底面に沿った直線Ｘと、下段の宝石におけるパビリオンの側面の延長線Ｙとが交わる点として、交点Ｚが表わされている。上段の宝石２は、底面の端部２２がこの交点Ｚの位置になるよう形成されることが最も好ましい。かかる構成を採用することにより、下段の宝石３にて得られた輝き（光の反射）を、上段の宝石２に全て伝えることができ、上段の宝石２が、下段の宝石３のブリリアントカットによる美しい輝きを有するように観賞することができる。
尚、本発明において用いられる交点とは、実質的な交点をいう意味であって、輝きを減少させることがない範囲を含むものとする。
【００２７】
また、図３に示されるように、底面の端部２２が、上記交点Ｚを中心として、内側又は外側に向けて、下段の宝石３におけるテーブルサイズ３２ａを基準とした所定の範囲Ｒに位置するよう形成されれば、美しい輝きを得ることができる。
【００２８】
以下に示される表１は、底面の端部２２が、交点Ｚに位置する場合、又は交点Ｚから一定の距離を隔てた場合において、上段の宝石２の上方から観察し、その輝きを目視で評価したものである。
表１に示されるように、上記所定の範囲Ｒが、テーブルサイズ３２ａの１０％の範囲内である場合は、極めて美しい輝きを得ることができ、２０％の範囲内である場合でも、美しい輝きを得ることができる。
【００２９】
【表１】
0006574581.tif 000002
・輝きの評価
○○○：最も美しい輝き
○○：極めて美しい輝き
○：美しい輝き
△：少ない輝き
×：不十分な輝き
【００３０】
上述のとおり、下段の宝石３に施されたブリリアントカットは、入射した光を全反射するように設計されていることから、美しい輝きを発する。従って、上下二段の宝石からなる装飾品１において、上段の宝石２を介しても、この下段の宝石３で全反射した光を余すことなく患者の目に届けられれば、美しい輝きが得られる。そして、この全反射した光を最も有効的に伝える条件が、底面の端部２２がこの交点Ｚの位置になるよう上部の宝石２を形成することであり、この交点３から端部２２の位置が遠ざかるにつれて、光が漏れる等の問題が生じ、徐々に輝きが失われる。
【００３１】
次に、上段の宝石２と下段の宝石３との固定手段について説明する。
上述のとおり、上段の宝石２と下段の宝石３とは、上段の宝石２の底面２１と、下段の宝石３のテーブル３２とを接合させることで一体化している。この際、光の計算外の反射等を防ぐため、接合手段として接着剤や粘着剤は用いず、単に接し合わせることが好ましい。
【００３２】
図４に示されるように、上段の宝石２と下段の宝石３とは、基材４によって固定され一体化されることが好ましい。
基材４は、少なくとも石座４１と爪４２を有し、石座４１によって、下段の宝石３が係止又は抱持され、この石座４１に設けられた爪４２によって、上段の宝石２が係止される。この構成により、石座４１が下段の宝石３を下方から支持し、爪４２が上段の宝石２を上方から支持するため、基材４によって上段の宝石２と下段の宝石３は共に挟持される態様になって固定される。この構成によれば、上段の宝石２と下段の宝石３を、簡易な構成によって確実に固定することができる。
【００３３】
装飾品１は、例えば図４に示される構成で上下二段の宝石が固定され、必要に応じて、他の部材が取付けられる。例えば、装飾品１が指輪であれば、リングが取付けられ、ネックレスであれば、チェーン等の必要な部材が取付けられる。
【００３４】
本発明によれば、上段の宝石である安価な部品（例えば、オーバルカット等の安価なカッティングが施された石や、価値の低いカラーの石。）に、下段の宝石である高価な部品
を組み合わせることで、全体としての価値を高めることができ、低コストで高価な宝石の如き外観を得ることができる。更には、上段の宝石のサイズを、下段の宝石に応じたサイズとすることによって、その輝きを最適化することができる。
【符号の説明】
【００３５】
１  装飾品
２  上段の宝石
２１  底面
２２  底面の端部
３  下段の宝石
３１  クラウン
３２  テーブル
３２ａ  テーブルサイズ
３３  ガードル
３４  パビリオン
３５  パビリオンの側面
４  基材
４１  石座
４２  爪
Ｘ  上段の宝石における底面に沿った直線
Ｙ  下段の宝石におけるパビリオンの側面の延長線
Ｚ  交点
Ｒ  範囲
【図１】
0006574581.tif 000003
【図２】
0006574581.tif 000004
【図３】
0006574581.tif 000005
【図４】
0006574581.tif 000006